【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
デジタル・ビデオ装置においてチャンネルを変更する方法であって：
同一の番組を表現する第１のビデオ・ストリーム及び第２のビデオ・ストリームを受信する工程であって、ここで前記第１のビデオ・ストリームは前記第２のビデオ・ストリームとは異なる少なくとも１つの特性を有し、前記第２のビデオ・ストリームは前記第１のビデオ・ストリームに対して遅延を有する、工程と；
前記第１のビデオ・ストリームを処理して第１の処理済みのビデオ・ストリームを生成する工程と；
前記第２のビデオ・ストリームを処理し、チャンネル変更の指令に反応して第２の処理済みのビデオ・ストリームをレンダリングする工程と；
その後に、前記第２の処理済みのビデオ・ストリームから前記第１の処理済みのビデオ・ストリームに切り替え、前記第１の処理済みのビデオ・ストリームをレンダリングする工程と
を含む方法。
【請求項２】
前記少なくとも１つの特性は、ビットレート、解像度及び画像群（ＧＯＰ）の大きさのうちの少なくとも１つを含む、請求項１記載の方法。
【請求項３】
前記第１のビデオ・ストリーム及び前記第２のビデオ・ストリームを、マルチキャスト・システムを経由して受信する、請求項１記載の方法。
【請求項４】
前記第１のビデオ・ストリームを処理する前記工程は：
前記第１のビデオ・ストリームをバッファリングして第１のバッファリングされたビデオ・ストリームを生成する工程と；
前記第１のバッファリングされたビデオ・ストリームに対して誤り訂正を行い、第１の誤り訂正済みのビデオ・ストリームを生成する工程と；
前記第１の誤り訂正済みのビデオ・ストリームを復号し、第１の復号済みのビデオ・ストリームを生成する工程と；
前記第１の復号済みのビデオ・ストリームに対して誤り隠蔽を行い、前記第１の処理済みのビデオ・ストリームを生成する工程と；
を含む、請求項１記載の方法。
【請求項５】
前記第２のビデオ・ストリームを処理する前記工程は：
前記第２のビデオ・ストリームをバッファリングして第２のバッファリングされたビデオ・ストリームを生成する工程と；
前記第２のバッファリングされたビデオ・ストリームを復号し、前記第２の処理済みのビデオ・ストリームを生成する工程と；
を含む、請求項４記載の方法。
【請求項６】
前記切り替えを、受信している前記第１のビデオ・ストリームの、既定の部分に反応して実行する、請求項１記載の方法。
【請求項７】
同一の番組を表現する第１のビデオ・ストリーム及び第２のビデオ・ストリームを受信するための受信手段であって、ここで前記第１のビデオ・ストリームは前記第２のビデオ・ストリームとは異なる少なくとも１つの特性を有し、前記第２のビデオ・ストリームは前記第１のビデオ・ストリームに対して遅延を有する、受信手段と；
前記第１のビデオ・ストリームを処理して第１の処理済みのビデオ・ストリームを生成するための第１の処理手段と；
前記第２のビデオ・ストリームを処理して第２の処理済みのビデオ・ストリームを生成するための第２の処理手段と；
チャンネル変更の指令に反応して前記第２の処理済みのビデオ・ストリームをレンダリングするためのレンダリング手段と；
前記レンダリング手段が前記第２の処理済みのビデオ・ストリームのレンダリングを開始した後に、前記第２の処理済みのビデオ・ストリームから前記第１の処理済みのビデオ・ストリームに切り替え、それにより前記レンダリング手段に前記第１の処理済みのビデオ・ストリームのレンダリングを開始させるための切替手段；
を含む、デジタル・ビデオ装置。
【請求項８】
前記第１のビデオ・ストリーム及び前記第２のビデオ・ストリームを、インターネットを経由して受信する、請求項７記載のデジタル・ビデオ装置。
【請求項９】
前記受信手段は、前記第１のビデオ・ストリームを受信及びバッファリングして第１のバッファリングされたビデオ・ストリームを生成するための手段を含み；かつ
前記第１の処理手段は：
前記第１のバッファリングされたビデオ・ストリームに対して誤り訂正を行い、第１の誤り訂正済みのビデオ・ストリームを生成する手段；
前記第１の誤り訂正済みのビデオ・ストリームを復号し、第１の復号済みのビデオ・ストリームを生成する手段；及び
前記第１の復号済みのビデオ・ストリームに対して誤り隠蔽を行い、前記第１の処理済みのビデオ・ストリームを生成する手段；
を含む；
請求項７記載のデジタル・ビデオ装置。
【請求項１０】
前記受信手段は、前記第２のビデオ・ストリームを受信及びバッファリングして第２のバッファリングされたビデオ・ストリームを生成する手段を含み；かつ
前記第２の処理手段は、前記第２のバッファリングされたビデオ・ストリームを復号し、前記第２の処理済みのビデオ・ストリームを生成する手段を含む；
請求項９のデジタル・ビデオ装置。
【請求項１１】
同一の番組を表現する第１のビデオ・ストリーム及び第２のビデオ・ストリームを受信するための少なくとも１つの信号受信器であって、ここで前記第１のビデオ・ストリームは前記第２のビデオ・ストリームとは異なる少なくとも１つの特性を有し、前記第２のビデオ・ストリームは前記第１のビデオ・ストリームに対して遅延を有する、信号受信器と；
前記第１のビデオ・ストリームを処理して第１の処理済みのビデオ・ストリームを生成するための第１の信号処理器と；
前記第２のビデオ・ストリームを処理して第２の処理済みのビデオ・ストリームを生成するための第２の信号処理器と；
チャンネル変更の指令に反応して前記第２の処理済みのビデオ・ストリームをレンダリングするためのレンダリング器と；
前記レンダリング器が前記第２の処理済みのビデオ・ストリームのレンダリングを開始した後に、前記第２の処理済みのビデオ・ストリームから前記第１の処理済みのビデオ・ストリームに切り替え、それにより前記レンダリング器に前記第１の処理済みのビデオ・ストリームのレンダリングを開始させる切替器と；
を含む、デジタル・ビデオ装置。
【請求項１２】
前記少なくとも１つの特性は、ビットレート、解像度及び画像群（ＧＯＰ）の大きさのうちの少なくとも１つを含む、請求項１１のデジタル・ビデオ装置。
【請求項１３】
前記第１のビデオ・ストリーム及び前記第２のビデオ・ストリームを、インターネットを経由して受信する、請求項１１のデジタル・ビデオ装置。
【請求項１４】
前記少なくとも１つの信号受信器は、前記第１のビデオ・ストリームを受信及びバッファリングして第１のバッファリングされたビデオ・ストリームを生成するための第１の信号受信器を含み；かつ
前記第１の信号処理器は：
前記第１のバッファリングされたビデオ・ストリームに対して誤り訂正を行い、第１の誤り訂正済みのビデオ・ストリームを生成する誤り訂正器；
前記第１の誤り訂正済みのビデオ・ストリームを復号し、第１の復号済みのビデオ・ストリームを生成する復号器；及び
前記第１の復号済みのビデオ・ストリームに対して誤り隠蔽を行い、前記第１の処理済みのビデオ・ストリームを生成する誤り隠蔽器；
を含む；
請求項１１のデジタル・ビデオ装置。
【請求項１５】
前記少なくとも１つの信号受信器は、前記第２のビデオ・ストリームを受信及びバッファリングして第２のバッファリング済みのビデオ・ストリームを生成する第２の信号受信器を含み；かつ
前記第２の信号処理器は、前記第２のバッファリング済みのビデオ・ストリームを復号し、前記第２の処理済みのビデオ・ストリームを生成する復号器を含む；
請求項１４のデジタル・ビデオ装置。